(57)【要約】【課題】発光形状を蝋燭の灯りに似せることができるシャンデリア型照明に適したＬＥＤランプに用いられるレンズを提供する。【解決手段】ＬＥＤランプ１０用のレンズ１４は、レンズ本体１４ａと取付部１４ｂとで構成されている。レンズ本体１４ａは、一端面にＬＥＤ１２からの光を受ける受光面１４ｃが形成され、その胴部１４ｅの先端部に設けられた先端部分１４ｈから出光する。胴部１４ｅ及び先端部分１４ｈは、受光面１４ｃから離れるに従ってその横幅が漸減するように設けられ、先端部分１４ｈの外面と胴部１４ｅの外面とのなす角度（内角）βは鈍角に形成されている。【選択図】図１
2016085785.tif 000002
【特許請求の範囲】
【請求項１】
一端面にＬＥＤからの光を受ける受光面が形成され、その胴部の先端部に設けられた先端部分から出光するレンズ本体を有するレンズであって、
胴部及び先端部分は、受光面から離れるに従ってその横幅が漸減するように設けられ、先端部分の外面と胴部の外面とのなす角度は鈍角に形成されていることを特徴とするＬＥＤランプ用のレンズ。
【請求項２】
胴部が略多角錐台に形成され、先端部分は胴部と面方向を同じにした同じ多角錐に形成され、その胴部側面又はその胴部側面と先端部側面が凹曲面に形成されていることを特徴とする請求項１に記載されたＬＥＤランプ用のレンズ。
【請求項３】
先端部分の傾斜面に面取りがなされてことを特徴とする請求項２に記載されたＬＥＤランプ用のレンズ。
【請求項４】
レンズ本体の平断面形状が偶数の多角形で、対向する表裏一対の胴部側面と、この胴部側面に連なる先端部側面のみが縦長凹曲面に形成されていることを特徴とする請求項２に記載されたＬＥＤランプ用のレンズ。
【請求項５】
胴部が円錐台状に形成され、先端部分が円錐状に形成され、且つ、胴部から先端部分にかけてその表裏対向側面がレンズ本体の中心線に沿う長手方向に伸びた凹曲面状に切除され、該切除面がレンズ本体の表裏両面に一対の縦長凹曲面として形成されていることを特徴とする請求項２に記載されたＬＥＤランプ用のレンズ。
【請求項６】
面発光型のＬＥＤと、前記面発光型のＬＥＤが受光面に対面して設けられている請求項１〜５のいずれかに記載されたレンズと、前記ＬＥＤに給電するための給電手段とを備えていることを特徴とするＬＥＤランプ。
【請求項７】
レンズを覆うエンベロープがさらに設けられていることを特徴とする請求項６に記載されたＬＥＤランプ。
【発明の詳細な説明】
【技術分野】
【０００１】
本発明は、発光形状が蝋燭の炎に似ている、シャンデリア型照明に適したＬＥＤランプならびにこれに用いられるＬＥＤランプ用レンズに関する。
【背景技術】
【０００２】
中世の時代から使用されている照明器具としてのシャンデリアの人気は高く、シャンデリア用の光源も、古くは蝋燭に始まり、ガス灯、電球といった具合に技術革新とともに移り変わってきた。シャンデリア用の光源として白熱電球を使用した例としては、例えば、特許文献１が知られている。
【０００３】
従来のシャンデリア用光源としての白熱電球は、光源（フィラメント）を覆うエンベロープの形状を単に蝋燭の炎の形状に似せただけのものばかりであり、光源（フィラメント）の発光形状を蝋燭の灯りに似せるよう考慮されたものはなかった。
【０００４】
しかしながら、従来のシャンデリア用光源としての白熱電球は、赤く光るフィラメントが蝋燭の醸し出すアンティークな雰囲気をある程度醸し出すことができること、そして安全かつ便利であるとして蝋燭の代わりに多用されてきた（特許文献１）。
【０００５】
処が、最近では、原油の高騰に端を発する需要者のエコロジー意識の高まりに合わせ、省エネ対策のひとつとして、白熱電球に比べて消費電力が低く、かつ、長寿命といった長所を有する発光ダイオード（以下、「ＬＥＤ」という。）が用いられたＬＥＤランプを白熱電球の代替として使用したいという要望が高まっており、シャンデリア用の光源についても同様の技術的要請がある。しかしながら、フィラメントと異なり極めて人工的な光であり、そのため違和感が強くＬＥＤを光源として使用する際の問題点の解消しようとして試みられたのが特許文献２である。
【先行技術文献】
【特許文献】
【０００６】
【特許文献１】特開平１０−１０６５１２号公報（第４頁、図２）
【特許文献２】特表２０１４−５２２０９４号公報
【発明の概要】
【発明が解決しようとする課題】
【０００７】
特許文献２は、ＬＥＤを使用し、ＬＥＤからの光をＬＥＤの上方に設けた円錐形反射器にて反射させ、この反射光を涙滴状のエンベロープに投影してハロー効果によりゴースト像をエンベロープの中心にあるかのように成形するようにしている。即ち、この反射ゴースト像は、ハロー生成拡散素子及び先細の涙滴形エンベロープの組み合わせによってもたらされる。換言すれば、ＬＥＤで蝋燭の炎を表現する反射ゴースト像を表すためには、円錐形反射器と先細の涙滴形エンベロープが必要であり、特に、エンベロープの形状が変わると反射ゴースト像の形状も当然変化することになる。すなわちこの場合は、エンベロープの形が先細の涙滴形に限定されてしまうことになる。
【０００８】
本発明は、エンベロープの形状にとらわれず、蝋燭の炎の表現をＬＥＤからの光を導光するレンズだけで行うことが出来るようなレンズ並びにこれを用いたシャンデリア型照明に適したＬＥＤランプの開発をその課題とする。
【課題を解決するための手段】
【０００９】
請求項１に記載された発明は、一端面にＬＥＤ１２からの光を受ける受光面１４ｃが形成され、その胴部１４ｅの先端部に設けられた先端部分１４ｈから出光するレンズ本体１４ａを有するレンズ１４であって、
胴部１４ｅ及び先端部分１４ｈは、受光面１４ｃから離れるに従ってその横幅が漸減するように設けられ、先端部分１４ｈの外面と胴部１４ｅの外面とのなす角度（内角）βは鈍角に形成されていることを特徴とするＬＥＤランプ１０用のレンズ１４である。
【００１０】
上記レンズ本体１４ａの胴部１４ｅの外形は略楔状或いは略円錐台形又は略多角錐台形であり、先端部分１４ｈの外形は胴部１４ｅに続く略楔状或いは略円錐形又は略多角錐形である。
【００１１】
請求項２に記載された発明は、請求項１において、胴部１４ｅが略多角錐台に形成され、先端部分１４ｈは胴部１４ｅと面方向を同じにした同じ多角錐に形成され、その胴部側面１４ｄ又はその胴部側面１４ｄと先端部側面１４ｓが凹曲面に形成されていることを特徴とする（図８）。
【００１２】
上記凹曲面は、球面、回転楕円面或いは円柱面の一部を中心軸と平行な平面で切り取った形状が代表として挙げられる。凹曲面が回転楕円面或いは円柱面の一部をその中心軸と平行な平面で切り取った形状の場合で、その中心軸が胴部１４ｅの胴部側面１４ｄの長手方向に一致するように配置されている場合には、該凹曲面に投影されたＬＥＤ１２の像は縦に細長く伸びる。図示していないが、これに対して中心軸を長手方向に直角な方向（横方向）に配置した場合には横長になる。従って、この像を蝋燭の炎の赤く燃えている芯に模するようにするためには凹曲面の中心軸を長手方向に配置するのが好ましい。なお、先端部分１４ｈの先端部側面１４ｓも同様の凹曲面に形成してもよい。これにより、先端部分１４ｈの先端部側面１４ｓにもＬＥＤ１２の細長い像が出来る。
【００１３】
請求項３に記載された発明は、請求項２において、先端部分１４ｈの傾斜面に面取りがなされてことを特徴とする。この場合、先端部分１４ｈが胴部１４ｅより多角形に形成される。
【００１４】
請求項４に記載された発明は、請求項２に於いて、レンズ本体１４ａの平断面形状が偶数の多角形で、対向する表裏一対の胴部側面１４ｄと、この胴部側面１４ｄに連なる先端部側面１４ｓのみが縦長凹曲面１４ｍに形成されていることを特徴とする（図２，３）。
【００１５】
請求項５に記載された発明は、請求項２に於いて、胴部１４ｅが円錐台状に形成され、先端部分１４ｈが円錐状に形成され、且つ、胴部１４ｅから先端部分１４ｈにかけてその表裏対向側面がレンズ本体１４ａの中心線に沿う長手方向に伸びた凹曲面状に切除され、該切除面がレンズ本体１４ａの表裏両面に一対の縦長凹曲面１４ｍとして形成されていることを特徴とする（図２，３）。
【００１６】
この場合、縦長凹曲面１４ｍの外縁（放物線状の外形稜線１４ｒ）が光って蝋燭の大きな炎を模し、縦長凹曲面１４ｍの上部に芯が赤く燃えている状態を模したＬＥＤ１２の像が形成され、レンズ本体１４ａの外観そのものが蝋燭の炎により近くなる。
【００１７】
請求項６に記載された発明は、「面発光型のＬＥＤ１２と、前記面発光型のＬＥＤ１２が受光面１４ｃに対面して設けられている請求項１〜５のいずれかに記載されたレンズ１４と、前記ＬＥＤ１２に給電するための給電手段２２とを備えている」ことを特徴とするＬＥＤランプ１０である。
【００１８】
請求項７に記載された発明は、「レンズ１４を覆うエンベロープ１６がさらに設けられている」ことを特徴とするＬＥＤランプ１０である。
【発明の効果】
【００１９】
本発明によれば、受光面１４ｃからレンズ本体１４ａに入光した光は、レンズ本体１４ａ内を全反射しつつ先端方向に進行し、先端部分１４ｈに集まって先端部分１４ｈの全体を胴部１４ｅより強く光らせる。この外観は遠くから見るとよく燃えている蝋燭の炎に近似して見える。そして、先端部分１４ｈの傾斜面に面取りがなされておれば、これが更に強調される。
【００２０】
また、図８のように、胴部側面１４ｄ又はその胴部側面１４ｄ及び先端部側面１４ｓが凹曲面に形成されておれば、更には図２，３のように、対向する一対の胴部側面１４ｄと、この胴部側面１４ｄに連なる先端部側面１４ｓが１つの縦長凹曲面１４ｍに形成されている場合には、この縦長凹曲面１４ｍにＬＥＤ１２の像がそれぞれ細長く投影されてあたかも蝋燭の芯が赤く燃えているように見え、より蝋燭の炎に近似させることができる。そしてこのレンズ１４とＬＥＤ１２を用いれば、蝋燭の炎のような発光形状のＬＥＤランプ１０を提供できる。
【図面の簡単な説明】
【００２１】
【図１】本発明の一実施例のＬＥＤランプを示す断面図である。
【図２】図１のレンズの拡大正面図である。
【図３】図２の平面図である。
【図４】図２の胴部側面図である。
【図５】図４の断面を示し、ＬＥＤからの光がレンズに入光する様子を示す断面図である。
【図６】（Ａ）〜（Ｅ）は図２におけるＡ−Ａ’線切断部端面図である。
【図７】図４の他の例の断面を示す断面図である。
【図８】本発明の他の実施例の斜視図である。
【図９】本発明の更に他の実施例の斜視図である。
【図１０】図１のＬＥＤランプを点灯させた状態を示す図面代用写真である。
【発明を実施するための形態】
【００２２】
本発明が適用されたＬＥＤランプ１０について、図面を用いて説明する。図１に示すように、ＬＥＤランプ１０は、大略、面発光型のＬＥＤ１２と、レンズ１４と、必要に応じて設けられるエンベロープ１６と、ベース１８及び口金２０とで構成されるランプ本体１１と、給電手段２２とで構成されている。
【００２３】
ＬＥＤ１２は、所定の電圧が印加されることによって光を放射する半導体素子であり、後述するベース１８の上面中央に実装保持されている。ＬＥＤ１２の発光色は別段何色でも構わないが、本発明では蝋燭の炎を模するものであるから赤色が選択される。
【００２４】
本実施例におけるＬＥＤ１２は、平面視正方形状（勿論、円形であってもよい）の発光面１２ａで発光するタイプのものであり、その配光パターンはいわゆるランバーシアン型である。このランバーシアン型配光パターンでは、光軸（＝０°）とその近傍にほとんどの光が集まっている、例えばラグビー球状の光の分布を持つのが特徴であり、当該光軸と成す角度が±３０°の範囲内にＬＥＤ１２から放射される全光の５０％が含まれており、±４５°の範囲内には全光の７０％が含まれており、さらに±６０°の範囲内には全光の９０％が含まれている。
【００２５】
レンズ１４は、ガラス又は樹脂からなる透明中実体であり、図２〜図４に示すようにレンズ本体１４ａと、レンズ本体１４ａの底面に円筒（或いはリング）状の取付部１４ｂが一体的に設けられた取付部１４ｂとで大略構成されている。そして、取付部１４ｂと受光面１４ｃとで囲まれた空間がＬＥＤ１２を収容するためのＬＥＤ収容空間１４ｊとなっている。本発明において、図９に示す形状が本発明の１つの基本形状であり（第１実施例）、図８が第１実施例の変形例の一例であり、図２〜５が第２実施例である（実施形態）。なお、図７は第２実施例の変形例の断面図である。以下、基本形（第１実施例）である図９に従って説明する。
【００２６】
図９のレンズ本体１４ａは、一端面にＬＥＤ１２からの光を受ける受光面１４ｃが形成され、その胴部１４ｅは円錐台、胴部１４ｅの先端側に設けられた先端部分１４ｈは円錐形に形成されている。図示していないが、円錐台に代えて角錐台（例えば三角錐台、四角錐台その他多角錐台）、円錐形に代えて角錐（例えば三角錐、四角錐その他多角錐）としてもよい。胴部１４ｅが多角錐台の場合、胴部１４ｅの胴部側面１４ｄと先端部分１４ｈの先端部側面１４ｓとは一列に連なるように同じ面方向に（即ち、１つの面となるように）形成されている。なお、この場合、両側面１４ｄ・１４ｓは平面である。
【００２７】
胴部１４ｅの胴部側面１４ｄの受光面１４ｃに対してなす角度（内角）γは９０°に近い鋭角の傾斜を有する。そして、先端部側面１４ｓの胴部側面１４ｄに対する内角βは前記内角γより大きく、１３５°±２０°の範囲の鈍角である。先端部側面１４ｓ同士の交角αは９０°±１０°の範囲の鋭角である。
【００２８】
エンベロープ１６は、透明ガラスで形成された中空で縦長球状体（涙滴状体）の部材で、ＬＥＤ１２およびレンズ１４を内包するようにしてベース１８の上面に必要に応じて配設されている。なお、エンベロープ１６の材質は、透明体であればガラスに限定されるものではなく、例えば合成樹脂で形成してもよい。
【００２９】
ベース１８は、ＬＥＤ１２、レンズ１４、およびエンベロープ１６を保持するとともに、外部からの電力をＬＥＤ１２に供給する給電手段２２をその内部に収容する部材であり、上部ベース２４と下部ベース２６とで構成されている。
【００３０】
上部ベース２４は、金属（例えば、アルミニウム）やセラミック等の熱伝導および放熱に優れた材料で形成された有蓋円筒状体（勿論、角筒状であってもよい。）である。上部ベース２４の上面には、浅い凹所２４ａが形成されており、この凹所２４ａの中央にＬＥＤ１２が実装されており、凹所２４ａの内周面にエンベロープ１６の下面開口が取り付けられている。
【００３１】
上部ベース２４の下面には、円筒状の挿入部２４ｂが垂設されており、挿入部２４ｂの外面には雄ネジ２４ｃが螺設されている。挿入部２４ｂの内側に設けられた凹所２４ｄは、後述する下部ベース２６の凹所２６ｃと協働して内部空間３０を構成する。また、上部ベース２４には、上面（凹所２４ａの底面）と、下面（凹所２４ａの天井面）とを連通する連通孔２８が設けられている。
【００３２】
下部ベース２６は、セラミック等の絶縁体からなり、太径部２６ａと細径部２６ｂとで構成された異径柱状体である。
【００３３】
太径部２６ａの外径は、上部ベース２４の外径と略等しく形成されており、その中央部には、凹所２６ｃが形成されている。上述したように凹所２６ｃと上部ベース２４の凹所２４ｄとが協働して内部空間３０が形成され、この内部空間３０に給電手段２２が配置されている。
【００３４】
凹所２６ｃの上部に形成された段状部分には、雌ネジ２６ｄが刻設されている。そして、この雌ネジ２６ｄに上部ベース２４の挿入部２４ｂの雄ネジ２４ｃが螺着されており、これにより上部ベース２４と下部ベース２６とが一体化されている。
【００３５】
細径部２６ｂの外周面には、ネジが形成されており、このネジに口金２０が螺入されている。
【００３６】
口金２０は、照明器具等のソケット（図示せず）に螺入される有底筒状体であり、ネジが形成された導電材料（例えば、金属）製の胴部側面部２０ａと、導電性材料からなり底面から突設する突設部２０ｂと、胴部側面部２０ａおよび突設部２０ｂ間を電気的に絶縁する絶縁材料製の絶縁部２０ｃとで構成されている。
【００３７】
給電手段２２は、口金２０に供給された電力をＬＥＤ１２に供給するためのものであり、口金２０に印加された電圧をＬＥＤ１２の駆動電圧まで変圧するとともに、ＬＥＤ１２に対して過剰な電流が流れるのを防止する駆動回路２２ａと、口金２０および駆動回路２２ａ間を導通させる一対の入力側リード線２２ｂと、駆動回路２２ａおよびＬＥＤ１２間を導通させる一対の出力側リード線２２ｃとで構成されている。
【００３８】
また、駆動回路２２ａは、上述したように、上部ベース２４の凹所２４ｄと下部ベース２６の凹所２６ｃとが協働して形成された内部空間３０に配設されており、入力側リード線２２ｂは、下部ベース２６の凹所２６ｃの図中下端側に配設されており、出力側リード線２２ｃは、上部ベース２４の連通孔２８に挿通されている。
【００３９】
しかしてＬＥＤ１２を点灯すると、ＬＥＤ１２からレンズ本体１４ａに入光した光が胴部１４ｅでは殆どその胴部側面１４ｄに全反射して先端方向に進み、胴部１４ｅから出る光は僅かである。胴部１４ｅ内で内部反射を繰り返しつつ先端方向に進行する光は、先端部分１４ｈに集まり先端全体を強く光らす。その結果、胴部１４ｅに比べて先端部分１４ｈからＬＥＤ１２の光が強く出て先端部分１４ｈが赤く光った炎の先端に似、レンズ本体１４ａが蝋燭の炎のような外観を呈することになる。レンズ本体１４ａの平断面が多角形の場合、上記に加えてその稜線が強く光り、見る方向によっては、この稜線が炎の外縁を模した形状に見えることになる。
【００４０】
第１実施例の変形例の一例である図８は胴部１４ｅが四角錐台、先端部分１４ｈが四角錐で、その胴部側面１４ｄ、先端部側面１４ｓが縦長の凹曲面、換言すれば凹曲面の中心軸がレンズ本体１４ａの中心軸に沿う方向に形成されている例である。凹曲面に付いては前述の通りである。胴部１４ｅ、先端部分１４ｈの形状も前述の通りで四角形に限られない。ＬＥＤ１２の点灯による光の挙動は上記第１実施例と基本的に同じであるが、胴部１４ｅが四角錐台であって胴部側面１４ｄが縦長の凹曲面ある関係から各胴部側面１４ｄの上部に図８のような縦に細長いＬＥＤ１２の像が映じることになる。先端部分１４ｈの胴部側面１４ｓも凹曲面であるから曲面に応じた縦に細長いＬＥＤ１２の像が映じる。
【００４１】
なお、上記例では縦長の凹曲面であるが、横長の凹曲面或いは球面でもよく、横長の凹曲面の場合は、横長の楕円像が各胴部側面１４ｄ・１４ｓに現れ、球面の場合は円形の像が現われることになる。
【００４２】
また、第１実施例の変形例では、胴部側面１４ｄ、先端部側面１４ｓが凹曲面の場合を示したが、平面（図示せず）又は逆の凸曲面（図６Ｂ）でもよい。その場合は、両側面１４ｄ・１４ｉにはＬＥＤ１２の細長い或いは丸い像は現れず、第１実施例で示したような先端部分１４ｈ全体が強く光るだけのレンズ１４になる。また、上記実施例ではいずれも両側面１４ｄ・１４ｉが曲面に形成されている場合を示したが、胴部１４ｅの胴部側面１４ｄだけを曲面に形成し、先端部分１４ｈの先端部側面１４ｉを平面に形成してもよい。
【００４３】
図２〜５に示す第２実施例に付いて説明する。第２実施例では、レンズ本体１４ａの胴部１４ｅが円錐台状に形成され、先端部分１４ｈが円錐状に形成され、且つ、胴部１４ｅから先端部分１４ｈにかけてその表裏対向側面がレンズ本体１４ａの中心線に沿う長手方向に伸びた凹曲面状に切除されており、レンズ本体１４ａの表裏両に一対の縦長凹曲面１４ｍが形成されている。表裏の縦長凹曲面１４ｍは胴部１４ｅの基端表面から先端部分１４ｈの先端に至り、先端で一致する。従って、胴部１４ｅの縦長凹曲面１４ｍの両脇には円錐台曲面が残る。この部分を凸曲胴部側面１４ｆとする。縦長凹曲面１４ｍの胴部１４ｅ表面の外形稜線１４ｒは略放物線となる。一方、縦長凹曲面１４ｍの先端部分１４ｈの両脇には円錐台曲面は面取りがされ、この部分の断面がＶ形に形成され、先端部分１４ｈが両刃の剣先のように形成されている。この面取り部分を先端部面取部１４ｔとする。そして胴部１４ｅと先端部分１４ｈの境界に前記面取りにより水平面が形成されている。この水平面を１４ｎとする。このレンズ本体１４ａの胴部１４ｅ、凸曲胴部側面１４ｆ部分、先端部分１４ｈにおける内角α〜γも第１実施例と同様である。
【００４４】
しかして、ＬＥＤ１２を点灯してＬＥＤ１２からレンズ本体１４ａに光が入光すると、第１実施例と同様、胴部１４ｅでは殆どその凸曲胴部側面１４ｆに全反射して当該部分１４ｆから出る光は乱反射による僅かなものだけである。同様に縦長凹曲面１４ｍも凸曲胴部側面１４ｆより受光面１４ｃに対する内角δは小さいもののこの面でも光は全反射し、出る光は同様に僅かである。ただ、凸曲胴部側面１４ｆの外縁線（縦長凹曲面１４ｍの外形稜線１４ｒ）は角が立っているため、この部分が略放物線状に強く光る。そして大半の光は胴部１４ｅ内で内部反射を繰り返しつつ先端方向に進行して先端部分１４ｈに集まり先端部分１４ｈ全体を強く光らす。特に、先端部分１４ｈの三角形の先端部面取部１４ｔが集中的に光る。そして、縦長凹曲面１４ｍの上部に、反射によって形成された縦長の細長く赤いＬＥＤ１２の像が形成される。その結果、縦長凹曲面１４ｍの略放物線状で赤く光る外形稜縁１４ｒが蝋燭の大きな炎のように見え、先端部分１４ｈの三角形の先端部面取部１４ｔの赤く光る部分が炎の赤く燃えている先端を模し、前述の縦長の細長く赤いＬＥＤ１２の像があたかも蝋燭の芯が燃えているように見え、レンズ本体１４ａだけでこれまでにない、燃えている蝋燭の外観を呈する。
【００４５】
また、縦長球状体（涙滴形）のエンベロープ１６を使用すると、レンズ１４から出光した光が、縦長球状体のエンベロープ１６に反射して、図５に示すように蝋燭の炎のような外観を呈し、さらに本物の蝋燭の光のようなアンティークな雰囲気を醸しだすことができる。勿論、上記のようにレンズ１４だけでも蝋燭の光のようなアンティークな雰囲気を醸しだすことができる。従って、エンベロープ１６の形状は二義的である。
【００４６】
なお、ＬＥＤ１２の出光色、レンズ１４の色やエンベロープ１６の色を例えば橙色にすれば、より蝋燭の炎に近づけることが出来る。
【符号の説明】
【００４７】
１０：ＬＥＤランプ、１１：ランプ本体、１２：ＬＥＤ、１２ａ：発光面、１４：レンズ、１４ａ：レンズ本体、１４ｂ：取付部、１４ｃ：受光面、１４ｄ：胴部側面、１４ｅ：胴部、１４ｆ：凸曲胴部側面、１４ｈ：先端部分、１４ｉ：先端部側面、１４ｊ：ＬＥＤ収容空間、１４ｍ：縦長凹曲面、１４ｎ：水平面、１４ｒ：外形稜線、１４ｓ：先端部側面、１４ｔ：先端部面取部、１６：エンベロープ、１８：ベース、２０：口金、２０ａ：胴部側面部、２０ｂ：突設部、２０ｃ：絶縁部、２２：給電手段、２２ａ：駆動回路、２２ｂ：入力側リード線、２２ｃ：出力側リード線、２４：上部ベース、２４ａ：凹所、２４ｂ：挿入部、２４ｃ：雄ネジ、２４ｄ：凹所、２６：下部ベース、２６ａ：太径部、２６ｂ：細径部、２６ｃ：凹所、２６ｄ：雌ネジ、２８：連通孔、３０：内部空間、α、β、γ、δ：内角。
【図１】
2016085785.tif 000003
【図２】
2016085785.tif 000004
【図３】
2016085785.tif 000005
【図４】
2016085785.tif 000006
【図５】
2016085785.tif 000007
【図６】
2016085785.tif 000008
【図７】
2016085785.tif 000009
【図８】
2016085785.tif 000010
【図９】
2016085785.tif 000011
【図１０】
2016085785.tif 000012